(57)【要約】【課題】印刷媒体の搬送方向に関する濃淡ムラ、及び、搬送方向と直交する方向に関する濃淡ムラの影響を受けにくい色調整用カラーチャートを印刷できるようにする。【解決手段】データ記憶部は、各パッチ内の濃度が複数のパッチ６１に共通の色変化方向に関して次第に増加した色調整補正用チャートに係るチャートデータを記憶しており、搬送装置は、固定配置されたサーマルヘッドの印刷面と対向する位置を通過するように印刷媒体を搬送する。主制御部及び印画装置制御部は、色変化方向が搬送方向及びこれと直交する方向の両方に対して傾いた色調整補正用チャートを印刷するようにサーマルヘッド及び搬送装置を制御し、各パッチ内における相対位置が互いに等しい基準点での色が互いに異なる複数のパッチ６１がＸ方向とこれに直交するＹ方向とにマトリクス状に配列された色調整補正用チャートを印刷する。【選択図】図４
2007196603.tif 000002
【特許請求の範囲】
【請求項１】
各パッチ内における相対位置が互いに等しい基準点での色が互いに異なる複数のパッチがＸ方向とこれに直交するＹ方向とにマトリクス状に配列された色調整補正用チャートを印刷することが可能なサーマル印刷システムであって、
固定配置されたサーマルヘッドと、
印刷媒体が前記サーマルヘッドの印刷面と対向する位置を通過するように印刷媒体を搬送する搬送機構と、
各パッチ内における濃度が前記複数のパッチに共通の色変化方向に関して次第に増加した色調整補正用チャートに係るチャートデータを記憶するチャートデータ記憶手段と、
前記チャートデータ記憶手段に記憶されたチャートデータに基づいて、前記色変化方向が前記搬送機構による印刷媒体の搬送方向及びこれと直交する方向の両方に対して傾いた色調整補正用チャートが印刷されるように、前記サーマルヘッド及び前記搬送機構を制御する制御手段とを備えていることを特徴とするサーマル印刷システム。
【請求項２】
前記制御手段は、前記色変化方向がＸ方向及びＹ方向の両方に対して傾いた方向となるように前記サーマルヘッド及び前記搬送機構を制御することを特徴とする請求項１に記載のサーマル印刷システム。
【請求項３】
前記パッチが正方形であり、前記制御手段は、前記色変化方向がＸ方向及びＹ方向の両方に対して４５度傾いた方向となるように前記サーマルヘッド及び前記搬送機構を制御することを特徴とする請求項２に記載のサーマル印刷システム。
【請求項４】
前記制御手段は、基準点での色の変化がＸ方向及びＹ方向の両方に関して規則性を有しつつ前記複数のパッチが配列されるように、前記サーマルヘッド及び前記搬送機構を制御することを特徴とする請求項１〜３のいずれか１項に記載のサーマル印刷システム。
【請求項５】
前記複数のパッチのうちの特定パッチを除くパッチに係る基準点での色が、前記特定パッチに係る基準点での色をガンマ補正したものであることを特徴とする請求項４に記載のサーマル印刷システム。
【請求項６】
前記制御手段は、各パッチ内における濃度が前記色変化方向に関して連続的に増加した色調整補正用チャートが印刷されるように、前記サーマルヘッド及び前記搬送機構を制御することを特徴とする請求項１〜５のいずれか１項に記載のサーマル印刷システム。
【請求項７】
２種類の色調整補正用チャートを印刷することが可能であり、
第１の色調整補正用チャートに印刷された複数のパッチに係る複数の基準点での色が互いに同色系統の色であり、第２の色調整補正用チャートに印刷された複数のパッチに係る複数の基準点での色が前記第１の色調整補正用チャートとは異なる互いに同色系統の色であることを特徴とする請求項１〜６のいずれか１項に記載のサーマル印刷システム。
【請求項８】
各パッチ内における相対位置が互いに等しい基準点での色が互いに異なる複数のパッチがＸ方向とこれに直交するＹ方向とにマトリクス状に配列された色調整補正用チャートを、固定配置されたサーマルヘッドと、印刷媒体が前記サーマルヘッドの印刷面と対向する位置を通過するように印刷媒体を搬送する搬送機構とを有する印刷装置を含むサーマル印刷システムに印刷させるために用いられるプログラムであって、
前記サーマル印刷システムを、
各パッチ内における濃度が前記複数のパッチに共通の色変化方向に関して次第に増加した色調整補正用チャートに係るチャートデータを記憶するチャートデータ記憶手段、及び、
前記チャートデータ記憶手段に記憶されたチャートデータに基づいて、前記色変化方向が前記搬送機構による印刷媒体の搬送方向及びこれと直交する方向の両方に対して傾いた色調整補正用チャートが印刷されるように、前記サーマルヘッド及び前記搬送機構を制御する制御手段として機能させることを特徴とするプログラム。
【発明の詳細な説明】
【技術分野】
【０００１】
本発明は、サーマルヘッドを用いたサーマル印刷システムに関する。
【背景技術】
【０００２】
近年、デジタルフォトの印刷のためのデジタルフォト用カラープリンタが普及し、一般的に用いられるようになってきた。これらのカラープリンタは、イエロー、マゼンタ、シアンの３原色を用いて、専用の受像シートもしくは用紙に、コンピュータから入力された画像データに基づいた印刷を施すものである。
【０００３】
デジタルフォトの印刷画像の色をユーザが所望する色に調整したい場合には、ユーザが、予め画像処理ソフトなどを用いて、画像データの色加工・補正を行なった後にプリンタで印刷している。一方で、このような画像処理ソフトはその機能が多岐に亘っており、その機能を駆使して画像データの色調整を行なうのは、専門家ではない一般のユーザには難しいことがある。加えて、そのようなソフトは高価であることが多い。
【０００４】
さらに、モニタの色再現は加法混色によるが、プリンタの色再現は減法混色によるために、モニタとプリンタでの色再現域が異なる。このために、画像データの色を、ユーザが望むようにモニタ上で調整できたとしても、プリンタで出力した場合にはそれが再現されない場合がある。
【０００５】
また、ユーザがデジタルフォトを印刷する前に、複数のカラーパッチが表示されたプリンタ色調整用のカラーチャートをプリンタから出力できるような印刷システムを用いて、印刷画像の色調整を行なうこともできる（特許文献１）。このような印刷システムにおいては、ユーザが、印刷したカラーチャートに表示された複数のカラーパッチの中から、所望の色を示すパッチを選択してプリンタドライバの設定値を補正することにより、ユーザが望むように印刷画像の色調整が行なわれる。
【０００６】
特許文献１の印刷システムによって印刷されるカラーチャートは各パッチ内の濃度が均一である。一方、各パッチ内の濃度を連続的に変化させたグラデーションにする場合もある（特許文献２）。このようにすることにより、一枚のチャートから得られる色情報量が多くなり、精度の高い色調整が可能となる。
【０００７】
【特許文献１】特開２０００−１９０５７２号公報
【特許文献２】特開２００２−２３２７２７号公報
【発明の開示】
【発明が解決しようとする課題】
【０００８】
しかしながら、特許文献２に記載された技術をサーマルヘッドが固定配置されたサーマル印刷システムに適用すると、以下に説明するような問題が生じる。
【０００９】
特許文献２に記載された技術においては、プリンタから出力される色調整用カラーチャートの各パッチ内での濃度変化が、印刷用紙の搬送方向、または搬送方向と直交する方向になっている。そのため、パッチ内での濃度変化が印刷用紙の搬送方向と同じであれば、印刷中に印刷用紙の搬送速度にムラが生じたときに、印刷媒体の搬送方向に関して大きな濃淡ムラが生じてカラーチャートの各パッチの濃度変化が読み取りにくくなる。そして、最悪の場合にはある特定濃度の色が表示されなくなるおそれがある。また、パッチ内での濃度変化が印刷用紙の搬送方向と直交する方向であれば、サーマルヘッドに含まれる複数の発熱体の抵抗値にばらつきがあるときに、発熱体間で発熱量にばらつきが生じて印刷用紙の搬送方向と直交する方向に関して大きな濃淡ムラが生じてカラーチャートの各パッチの濃度変化が読み取りにくくなる。そして、最悪の場合にはある特定濃度の色が表示されなくなるおそれがある。このように、特許文献２に記載された技術においては、デジタルフォトについてユーザが所望する色調整が困難となってしまう。
【００１０】
そこで本発明の目的は、印刷媒体の搬送速度ムラによる印刷媒体の搬送方向に関する濃淡ムラ、及び、サーマルヘッドの発熱体の抵抗値のばらつきによる搬送方向と直交する方向に関する濃淡ムラの影響を受けにくい色調整用カラーチャートを印刷することができるサーマル印刷システムを提供することである。
【課題を解決するための手段及び発明の効果】
【００１１】
本発明によるサーマル印刷システムは、各パッチ内における相対位置が互いに等しい基準点での色が互いに異なる複数のパッチがＸ方向とこれに直交するＹ方向とにマトリクス状に配列された色調整補正用チャートを印刷することが可能であって、固定配置されたサーマルヘッドと、印刷媒体が前記サーマルヘッドの印刷面と対向する位置を通過するように印刷媒体を搬送する搬送機構と、各パッチ内における濃度が前記複数のパッチに共通の色変化方向に関して次第に増加した色調整補正用チャートに係るチャートデータを記憶するチャートデータ記憶手段と、前記チャートデータ記憶手段に記憶されたチャートデータに基づいて、前記色変化方向が前記搬送機構による印刷媒体の搬送方向及びこれと直交する方向の両方に対して傾いた色調整補正用チャートが印刷されるように、前記サーマルヘッド及び前記搬送機構を制御する制御手段とを備えている。
【００１２】
この構成によると、色調整補正用チャートに表示された各パッチの色変化方向が印刷媒体の搬送方向に対して斜めとなるので、印刷媒体の搬送速度ムラによる印刷媒体の搬送方向の濃淡ムラ、及び、サーマルヘッドに含まれる複数の発熱体の抵抗値のばらつきによる搬送方向と直交する方向の濃淡ムラの影響を受けにくい色調整用カラーチャートを印刷することができる。
【００１３】
ここで、サーマル印刷システムは、例えば、サーマルプリンタ及びホストコンピュータとが、有線又は無線を問わず、ローカルに接続された又はＬＡＮやＷＡＮなどの通信ネットワークを介して接続されたものであってもよいし、スタンドアロンのサーマルプリンタであってもよい。
【００１４】
前記制御手段は、前記色変化方向がＸ方向及びＹ方向の両方に対して傾いた方向となるように前記サーマルヘッド及び前記搬送機構を制御してもよい。この構成によると、パッチ内の濃度変化が見やすくなる。
【００１５】
前記パッチが正方形であり、前記制御手段は、前記色変化方向がＸ方向及びＹ方向の両方に対して４５度傾いた方向となるように前記サーマルヘッド及び前記搬送機構を制御してもよい。この構成によると、パッチ内の濃度変化がより見やすくなる。
【００１６】
前記制御手段は、基準点での色の変化がＸ方向及びＹ方向の両方に関して規則性を有しつつ前記複数のパッチが配列されるように、前記サーマルヘッド及び前記搬送機構を制御してもよい。この構成によると、パッチの配列に規則性があるため、複数のパッチの中からユーザの所望の色のパッチを選びやすくなる。
【００１７】
前記複数のパッチのうちの特定パッチを除くパッチに係る基準点での色が、前記特定パッチに係る基準点での色をガンマ補正したものであってもよい。この構成によると、一枚の色調整補正用チャートを使って、より精度の高いデジタルフォトの色調整が可能となる。
【００１８】
前記制御手段は、各パッチ内における濃度が前記色変化方向に関して連続的に増加した色調整補正用チャートが印刷されるように、前記サーマルヘッド及び前記搬送機構を制御してもよい。この構成によると、一枚の色調整補正用チャートを使って、より精度の高いデジタルフォトの色調整が可能となる。
【００１９】
本発明のサーマル印刷システムは、２種類の色調整補正用チャートを印刷することが可能であり、第１の色調整補正用チャートに印刷された複数のパッチに係る複数の基準点での色が互いに同色系統の色であり、第２の色調整補正用チャートに印刷された複数のパッチに係る複数の基準点での色が前記第１の色調整補正用チャートとは異なる互いに同色系統の色であってもよい。これによると、２種類の色について連続した色調整を行なうことにより、よりユーザの所望する色に近いデジタルフォトの色調整が可能となる。
【００２０】
また、本発明のプログラムは、各パッチ内における相対位置が互いに等しい基準点での色が互いに異なる複数のパッチがＸ方向とこれに直交するＹ方向とにマトリクス状に配列された色調整補正用チャートを、固定配置されたサーマルヘッドと、印刷媒体が前記サーマルヘッドの印刷面と対向する位置を通過するように印刷媒体を搬送する搬送機構とを有する印刷装置を含むサーマル印刷システムに印刷させるために用いられるプログラムであって、サーマル印刷システムを上述したように機能させることが可能なものであり、上述したものと同様の作用効果を奏する。なお、このプログラムの記録媒体としては、ＣＤ−ＲＯＭ（Compact Disc Read Only Memory）、フレキシブルディスク（ＦＤ）、ＭＯ（Magneto Optical）ディスクなどのリムーバブル型記録媒体や、ハードディスクなどの固定型記録媒体を用いることができる。また、このプログラムは、上記のような記録媒体に記録して配布可能である他、有線又は無線の電気通信手段によってインターネットなどの通信ネットワークを介して配布可能である。
【発明を実施するための最良の形態】
【００２１】
以下、本発明の好適な一実施の形態について、図面を参照しつつ説明する。
【００２２】
図１は本発明の一実施の形態に係るサーマル印刷システムのブロック図である。
【００２３】
本実施の形態に係るサーマル印刷システム１は、ホストコンピュータ１０と  デジタルフォト用のサーマルプリンタ２０とが、ローカルに接続されたものである。
【００２４】
ホストコンピュータ１０は、ホストコンピュータと外部機器との間で画像データの送受信の操作を行なうためのアプリケーションソフト１１、後述する色補正設定プログラム１２、サーマルプリンタ２０を制御するためのプリンタドライバ１３、データ記憶部１４を含んでおり、ホストコンピュータ１０には、サーマルプリンタ２０、入力装置３０、ディスプレイ４０、キーボード１０１、マウス１０２が接続されている。ここで、入力装置３０には、画像データの収納されたデジタルカメラ３１、画像データの収納されたＣＤ−ＲＯＭやメモリーカードなどのリムーバブルメディア（図示せず）から画像データを読み込むためのリムーバブルメディアリーダ３２、スキャナ３３が含まれる。またここでは、画像データとしてビットマップ画像を用いる。サーマルプリンタ２０には、入力インターフェイス部２１、画像データ記憶部２２、主制御部２３、印刷データ制御部２４、印刷装置制御部２５、サーマルヘッド２６、搬送装置２７、インクリボン２９が含まれる。なお、本実施の形態において、サーマルプリンタ２０は昇華型熱転写方式のデジタルフォトプリンタであり、インクリボンにサーマルヘッド２６で熱を加えて印刷用紙に昇華染料を転写し、着色を行なう。また、ホストコンピュータ１０とサーマルプリンタ２０とは、プリンタドライバ１３及び入力インターフェイス部２１を介して接続されている。
【００２５】
次に、図２を用いて、サーマルプリンタ２０のサーマルヘッド２６及び搬送装置２７の構造について説明する。図２（ａ）は、サーマルヘッド２６及び搬送装置２７の側面の概略図である。図２（ａ）は、サーマルプリンタ２０により、印刷用紙５の表面に印刷動作が行われている状態を示している。また、図２（ｂ）は図２（ａ）のサーマルヘッド２６の底面の概略図である。
【００２６】
搬送装置２７は、紙送りローラ２７１とプラテンローラ２７２とを有している。ここで、サーマルヘッド２６とプラテンローラ２７２の間に印刷用紙５が挟まれており、インクリボン２９が、サーマルヘッド２６と印刷用紙５の間に挟まれるように配置されている。また、インクリボン２９は、その両端がインクリボンローラ２８ａ及び２８ｂに固定されており、インクリボンローラ２８ａの回転により、インクリボンローラ２８ｂに巻かれてあるインクリボン２９を、インクリボンローラ２８ａへ巻き取ることができるようになっている。
【００２７】
サーマルヘッド２６はプリンタ２０に固定配置されており、図２（ｂ）に示すように、サーマルヘッド２６の表面には、一列に並べられた複数の発熱体２６１が設置されている。ここで、印刷用紙５の搬送方向は図の矢印Ａで示される方向であり、複数の発熱体２６１は矢印Ａ方向とは直交する矢印Ｂ方向に並んでいる。
【００２８】
次に、サーマル印刷システム１による印刷動作について説明する。
【００２９】
サーマル印刷システム１のホストコンピュータ１０には、あらかじめアプリケーションソフト１１及び色補正設定プログラム１２がインストールされている。キーボード１０１やマウス１０２によるアプリケーションソフト１１の操作により、印刷する画像データが入力装置３０から読み込まれ、読み込まれた画像データは、アプリケーションソフト１１に対する印刷の命令により、プリンタドライバ１３を介してサーマルプリンタ２０に送られる。
【００３０】
サーマルプリンタ２０に送られた画像データは、他の機器との間での通信制御を実施する入力インターフェイス部２１を介して、画像データ記憶部２２に記憶される。その後、画像データ記憶部２２に記憶された画像データは、印刷データ制御部２４で印刷用信号に変換される。この変換の際に、サーマルヘッド２６の印刷ごとの色差を補正するため、印刷装置制御部２５において得られる熱制御補正データが印刷用信号に適用される。ここで、主制御部２３は、サーマルプリンタ２０内部の全動作を制御している。上記のようにして画像データより変換された印刷用信号が、印刷データ制御部２４よりサーマルヘッド２６に伝達される。
【００３１】
そして、主制御部２３からの命令により、紙送りローラ２７１の搬送動作によって、印刷用紙５がサーマルヘッド２６とプラテンローラ２７２との間に挟まれる位置まで搬送される。ここで、搬送方向は図２の矢印Ａ方向である。そして、印刷部分に対応した発熱体２６１に電流が送られ、その発熱体２６１の通電加熱によって、インクリボン２９に塗布したインクが溶融し、発熱体２６１とプラテンローラ２７２との印刷圧力により、印刷用紙５の表面にインクが付着する。
【００３２】
ここで、発熱体２６１によりインクリボン２９に加えられる熱の大きさを、主制御部２３及び印刷装置制御部２５が制御しているため、部分ごとに印刷濃度を細かく調節することが可能となり、それにより色の濃淡が表現される。また、主制御部２３は、サーマルヘッド２６の発熱タイミングに同期して印刷用紙５が搬送されるように、搬送装置２７の搬送動作を制御する。
【００３３】
以上のようにして、主制御部２３及び印刷装置制御部２５がサーマルヘッド２６を、主制御部２３が搬送装置２７を制御することにより、印刷用紙５の表面への印刷動作が行なわれる。そして、印刷の終了した印刷用紙５は、搬送装置２７の搬送動作によりサーマルプリンタ２０の外に排出される。
【００３４】
次に、図３〜図８を用いて、本実施の形態に係るサーマル印刷システム１により印刷される色調整補正用チャート、及び色調整補正用チャートを用いたサーマル印刷システム１の色調整補正について説明する。図３は、図１のサーマル印刷システム１により印刷したシャドー部色調整補正用チャートの概略図を、図４は図３のシャドー部色調整補正用チャートに表わされる基準パッチの概略図を、図５は、本発明の一実施の形態に係る色調整補正チャート作成用のガンマ補正係数表を示した図をそれぞれ示している。また、図６は、図１のサーマル印刷システム１により印刷したハイライト部色調整補正用チャートの概略図を、図７は図６の色調整補正用チャートに表わされる基準パッチの概略図を示している。また、図８は、図１のサーマル印刷システム１の色調整補正方法の手順を示すフローチャートである。  
【００３５】
本実施の形態に係る色調整補正は、サーマルプリンタ２０からシャドー部色調整補正用チャート６０を出力して、ユーザによって選択された所望の色を示すパッチに基づいて、プリンタドライバ１３に色調整補正データを設定し、続けてハイライト部色調整補正用チャート７０を出力して、同様にユーザによって選択された所望の色を示すパッチに基づいて、プリンタドライバ１３に色調整補正データを設定することで、シャドー部とハイライト部について画像データの色調整補正を行なうものである。また、シャドー部色調整補正用チャート６０は、グレー系統の色を示す複数のパッチ６１からなり、シャドー部の特にグレー部分の色調整補正に用いる。また、ハイライト部色調整補正用チャート７０は肌色系統の色を示す複数のパッチ７１からなり、ハイライト部の特に肌色部分の色調整補正に用いる。
【００３６】
図３を用いて、シャドー部色調整補正用チャート６０について説明する。シャドー部色調整補正用チャート６０は、図３に示すように、サーマルプリンタ２０の専用紙である印刷用紙５１の表面に、７行７列のマトリクス状に配列された４９個の正方形のパッチ６１が、上記の印刷動作により印刷されたものである。ここで、行方向と列方向は互いに直交している。
【００３７】
シャドー部色調整補正用チャート６０には、各パッチの位置情報を表すための、行番号を示す１〜７の符号６６、及び、列記号を示すＡ〜Ｇの符号６５がそれぞれ複数のパッチ６１と共に印刷されている。図３の矢印Ａは、印刷時の印刷用紙５１の搬送方向であり、複数のパッチ６１の行方向は矢印Ａ方向と一致しており、列方向は矢印Ａ方向と直交する方向（図２（ｂ）の矢印Ｂ方向）と一致している。
【００３８】
ここで、複数のパッチ６１の左上の角にあるパッチを例にとると、このパッチは１行とＡ列の交差した点に位置しているので、このパッチを６１（１Ａ）とする。ここで括弧内の２文字は、順にそのパッチの位置する行及び列に対応している。同様に、右下の角のパッチは、７行とＧ列の交差した点に位置しているので６１（７Ｇ）となる。ここで、複数のパッチ６１の中央に位置するパッチ６１（４Ｄ）を、特に基準パッチとする。
【００３９】
次に、図４を用いてシャドー部色調整補正用チャート６０に表わされる基準パッチ６１（４Ｄ）について説明する。基準パッチ６１（４Ｄ）は、印刷用紙５１の表面に印刷されたもので、その内部が着色された正方形を形成しており、その上辺が上記の行方向に一致するように配置されている。また図４には、サーマルプリンタ２０の印刷媒体の搬送方向を矢印Ａで表しており、この方向は、上記の行方向と一致しているため、基準パッチ６１（４Ｄ）の上辺とも一致している。
【００４０】
ここで、光の３原色に基づき、それぞれが０〜２５５の２５６階調を有する赤（Ｒ）、緑（Ｇ）、青（Ｂ）各色の濃度の組み合わせにより色が表わされるものとする。この濃度の値は、各色において０では最も暗く、２５５では最も明るくなる。ここでは、濃度が０〜１２８の領域をシャドー部の濃度領域とし、濃度が１２９〜２５５の領域をハイライト部の濃度領域とする。
【００４１】
ここではＲ、Ｇ、Ｂの３原色のそれぞれの濃度を（Ｒ，Ｇ，Ｂ）＝（０，０，０）のように表現し、これらの組み合わせにより色を表現する。ここで（Ｒ，Ｇ，Ｂ）＝（０，０，０）は、Ｒの濃度が０、Ｇの濃度が０、Ｂの濃度が０であることを示し、これらの組み合わせにより表わされる色は黒となる。また、（Ｒ，Ｇ，Ｂ）＝（２５５，２５５，２５５）の場合は、表わされる色は白となる。さらに、Ｒ、Ｇ、Ｂの濃度が互いに一致している場合には、常に無彩色となる。また、Ｒ、Ｇ、Ｂの濃度の比率を変えることで、多様な色の表現ができる。
【００４２】
基準パッチ６１（４Ｄ）は、図４における左上の角の点が（Ｒ，Ｇ，Ｂ）＝（３２、３２、３２）、右下の角の点が（Ｒ，Ｇ，Ｂ）＝（１２８，１２８，１２８）となっている。また、Ｒ、Ｇ、Ｂそれぞれの濃度は、パッチ６１（４Ｄ）の左上から右下へ連続的に単調に増加している。また、この方向は、印刷用紙５１の搬送方向Ａ及びＡと直交する方向（図２（ｂ）の矢印Ｂ方向）の両方に対して４５度傾いた方向である。すなわち、パッチ６１（４Ｄ）内は、上記の複数のパッチ６１の行方向及び列方向の両方に対して４５度傾いた方向へのグラデーションとなっている。また、基準パッチ６１（４Ｄ）内は、その全領域においてＲ、Ｇ、Ｂの３色の濃度が互いに等しく無彩色であるので、グレーのグラデーションとなる。
【００４３】
次に、図５に基づいて、色調整補正用チャート６０の複数のパッチ６１の構成について説明する。複数のパッチ６１の各パッチに係る基準点での色は、基準パッチ６１（４Ｄ）に係る基準点での色をガンマ補正したものであり、そのガンマ補正計算は各パッチで互いに異なるものであるため、複数のパッチ６１の各パッチ内において、相対位置が互いに等しい基準点での色は互いに異なる。図５は、その補正計算に用いられるガンマ補正係数表を示している。このガンマ補正係数表のデータは、ホストコンピュータのデータ記憶部１４に記憶されているものである。ここで、図５のガンマ補正係数表の複数の枠８０の各枠は、それぞれが図３の複数のパッチ６１の各パッチの位置に対応している。各枠内の数字は、上からＲ、Ｇ、Ｂ各色の濃度についてのガンマ補正係数を示しており、各パッチには、各色につき一つのガンマ補正係数が与えられている。
【００４４】
図５のガンマ補正係数表を用いて、基準パッチ６１（４Ｄ）内部についてガンマ補正を行なったパッチを表の配置に対応させて配列することで、複数のパッチ６１が構成される。また、図５の中央の枠８０（４Ｄ）のガンマ補正係数をＲ、Ｇ、Ｂ各色について１．０としていることから、中央の枠８０（４Ｄ）に対応したパッチが基準パッチ６１（４Ｄ）となることが確認できる。
【００４５】
また、図５のガンマ補正係数表の一番上の数字（赤（Ｒ））に着目すると、表の左半分（Ａ〜Ｄ列）については全て１．０で変化がないが、右半分（Ｄ〜Ｇ列）については、Ｄ列から右へ向かうに連れてガンマ補正係数が１．０から０．７へと減少していることが分かる。よって、色調整補正用チャート６０の右半分では横方向について、右に向かうほど赤の濃度が大きくなる。同様に、緑（Ｇ）については、表の左半分（Ａ〜Ｄ列）において、Ｄ列からＡ列へ向かうに連れてガンマ補正係数が減少しており、色調整補正用チャート６０の左半分では、横方向について、左へ向かうほど緑の濃度が大きくなる。また、青（Ｂ）については、表の下から上へ（第７行から第１行へ）向かうに連れてガンマ補正係数が増加している。これらの結果、色調整補正用チャート６０の縦方向について、下半分では、下へ向かうほど青の濃度が大きくなり、上半分では上へ向かうほど青の補色である黄色の濃度が大きくなる。このように、ガンマ補正係数表において、各パッチのガンマ補正係数は、Ｒ、Ｇ、Ｂの各色について、基準パッチ６１（４Ｄ）からの各パッチの距離に対応して、上記の行方向及び列方向の両方に関して規則的に変化している。
【００４６】
以上のように、基準パッチ６１（４Ｄ）内は無彩色のグレーであったが、複数のパッチ６１内で中心から離れるほど赤、緑、青、黄の強さが変化し、より彩度の高いパッチとなる。例えば、基準パッチ６１（４Ｅ）の右隣のパッチ６１（４Ｅ）については、赤のガンマ補正係数が０．９となっているため、パッチ６１（４Ｅ）の色は、左上の角の点が（Ｒ，Ｇ，Ｂ）＝（３９，３２，３２）、右下の角の点が（Ｒ，Ｇ，Ｂ）＝（１３７，１２８，１２８）となり、やや赤みが掛かったグレーとなる。さらに基準パッチ６１（４Ｄ）の右上のパッチ６１（３Ｅ）については、赤のガンマ補正係数が０．９、青のガンマ補正係数が１．１のため、左上の角の点が（Ｒ，Ｇ，Ｂ）＝（３９，３２，２６）、右下の角の点が（Ｒ，Ｇ，Ｂ）＝（１３７，１２８，１１９）となり、やや黄色み、及び赤みが掛かったグレーとなる。
【００４７】
以上のようにすることで、複数のパッチ６１を、互いに同一のパッチが存在することなく配置できる。
【００４８】
また、上記のシャドー部色調整補正用チャート６０を作成するためのチャートデータは、ホストコンピュータ１０内のデータ記憶部１４に予め記憶されている。
【００４９】
次に、ハイライト部色調整補正用チャート７０について、図６を用いて説明する。ハイライト部色調整補正用チャート７０についても、基本的な構成はシャドー部色調整補正用チャート６０と同様であるため、このような同様の部分についての説明を省略することもある。
【００５０】
ハイライト部色調整補正用チャート７０は、図６に示すように、印刷用紙５２の表面に、７行７列のマトリクス状に配列された複数のパッチ７１符号７５、７６が印刷されたものである。複数のパッチ７１の行方向は印刷用紙５２の搬送方向である矢印Ａ方向と一致しており、列方向は矢印Ａ方向と直交する方向と一致している。ここでも同様に、中央に位置するパッチ７１（４Ｄ）を、特に基準パッチとする。
【００５１】
次に、図７を用いてハイライト部色調整補正用チャート７０に表わされる基準パッチ７１（４Ｄ）について説明する。基準パッチ７１（４Ｄ）は、印刷用紙５２の表面に印刷されたもので、その内部が着色された正方形を形成しており、その上辺が上記の行方向に一致するように配置されている。また図７には、サーマルプリンタ２０の印刷媒体の搬送方向を方向Ａで表わしている。基準パッチ７１（４Ｄ）は、図の左上の角の点が（Ｒ，Ｇ，Ｂ）＝（１８５，１５５，１３０）、右下の角の点が（Ｒ，Ｇ，Ｂ）＝（２５０，２２０，１９５）となっており、Ｒ、Ｇ、Ｂそれぞれの値は、パッチ７１（４Ｄ）の左上から右下に連続的に単調に増加している。また、この方向は、印刷用紙５２の搬送方向Ａ及びＡと直交する方向の両方に対して４５度傾いた方向である。その結果、パッチ７１（４Ｄ）内は、上記の行方向及び列方向の両方に対して４５度傾いた方向へのグラデーションとなっている。また、基準パッチ７１（４Ｄ）内は、全領域において肌色のグラデーションとなる。
【００５２】
図６の複数のパッチ７１の各パッチに係る基準点での色は、基準パッチ７１（４Ｄ）に係る基準点での色を、図５のガンマ補正係数表に従ってガンマ補正したものであり、ガンマ補正を行なったそれぞれのパッチを表の配置に対応させて配列した後に、各パッチに対して、後述するシャドー部色調整補正を行なって構成されたものである。
【００５３】
上記のように構成された複数のパッチ７１においては、基準パッチ７１（４Ｄ）の色に対して、複数のパッチ７１内で中心から離れるほど赤、緑、青、黄の強さが変化し、より彩度の高いパッチとなる。
【００５４】
以上のようにすることで、複数のパッチ７１を、互いに同一のパッチが存在することなく配置することができる。
【００５５】
また、上記のハイライト部色調整補正用チャート７０を作成するためのチャートデータは、ホストコンピュータ１０内のデータ記憶部１４に記憶されている。
【００５６】
なお、色調整補正用チャート６０及び７０を作成するためのチャートデータは、ホストコンピュータ内のデータ記憶部１４に記憶されているとしたが、印刷段階では、プリンタ２０内の画像データ記憶部２２にも記憶されている。
【００５７】
次に、上記のように構成された色調整補正用チャートを用いたサーマル印刷システム１の色調整補正について、図８のフローチャートに基づいて説明する。まず、印刷画像の中のシャドー部分の色調整補正を行なうため、キーボード１０１やマウス１０２によりアプリケーションソフト１１を操作し、データ記憶部１４に記憶されたシャドー部色調整補正用チャート６０のチャートデータを読み込み、シャドー部色調整補正用チャート６０をサーマルプリンタ２０から印刷する（ステップＳ１０１）。
【００５８】
そして、出力されたシャドー部色調整補正用チャート６０の複数のパッチ６１の中から所望の色を示すパッチを選択し、パッチの選択情報を、アプリケーションソフト１１上で、キーボード１０１やマウス１０２の操作によりで入力する（ステップＳ１０２）。パッチの選択については、直接目視で判断してもよいし、計測器で測定してから判断してもよい。また、ここで入力するパッチ選択情報は、図２に示すチャートの場合、パッチの位置情報、すなわち、行番号（符号６６）と列記号（符号６５）との組み合わせを入力する。例えば、パッチ６１（３Ｅ）を選択する場合には、キーボード１０１を操作して、「３Ｅ」と入力する。ここで入力された選択情報は、色補正設定プログラム１２へ送られる。
【００５９】
その後、入力されたパッチの選択情報を基に、色補正設定プログラム１２において、シャドー部色調整補正データが計算される（ステップＳ１０３）。色補正設定プログラム１２からアクセス可能なデータ記憶部１４には、各パッチ位置に対応した補正係数及び補正計算式が記憶されており、これらと入力されたパッチの選択情報とから、シャドー部色調整補正データが計算可能となっている。そして計算されたシャドー部色調整補正データは、データ記憶部１４内に記憶される。
【００６０】
例えば、ステップＳ１０２でパッチ６１（３Ｅ）を選択した場合、Ｒ（赤）については０．９、Ｇ（緑）については１．０、Ｂ（青）については１．１のガンマ補正係数が、データ記憶部１４より色補正設定プログラム１２に送信され、色補正設定プログラム１２においてこれらに基づいたシャドー部色調整補正データが計算される。ここで計算されたシャドー部色調整補正データは、Ｒ、Ｇ、Ｂの各色について濃度特性を表わすトーンカーブデータである。
【００６１】
そして、シャドー部色調整補正データがプリンタドライバ１３に送信、設定される（ステップＳ１０４）。
【００６２】
また、このシャドー部色調整補正データは、後述のハイライト部色調整補正用チャートの印刷時に適用される。
【００６３】
また、本実施の形態において、シャドー部色調整補正データは、Ｒ、Ｇ、Ｂ各色の全濃度領域（０〜２５５）について色調整補正をするためのものである。しかし、Ｒ、Ｇ、Ｂの各色について、濃度で０〜１２８にあたる、シャドー部のみを補正するための補正データとしてもよい。
【００６４】
次に、印刷をする画像の中のハイライト部分の色調整補正を行なうために、データ記憶部１４に記憶された、ハイライト部色調整補正用チャート７０を作成するためのチャートデータを読み込み、ハイライト部色調整補正用チャート７０をサーマルプリンタ２０から出力する（ステップＳ１０５）。上記のチャートデータは、図５のガンマ補正係数表に従って基準パッチ７１（４Ｄ）の色についてガンマ補正を行ない、ガンマ補正を行なったそれぞれのパッチを表の配置に対応させて配列させるデータである。
【００６５】
ここで、データ記憶部１４から上記のチャートデータをサーマルプリンタ２０に送信する際、プリンタドライバ１３において、ステップＳ１０４で設定されたシャドー部色調整補正データにより上記のチャートデータが補正される。このように、印刷されるハイライト部色調整補正用チャート７０は、上記のチャートデータにシャドー部色調整補正を適用したものとなる。
【００６６】
そして、出力されたハイライト部色調整補正用チャート７０の複数のパッチ７１の中から所望の色を示すパッチを選択し、パッチの選択情報を、アプリケーションソフト１１上で、キーボード１０１やマウス１０２の操作により入力する（ステップＳ１０６）。パッチの選択については、直接目視で判断してもよいし、計測器で測定してから判断してもよい。ここで入力された選択情報は、色補正設定プログラム１２へ送られる。
【００６７】
その後、入力されたパッチの選択情報を基に、色補正設定プログラム１２において、ハイライト部色補正データが計算される（ステップＳ１０７）。データ記憶部１４においては、予め各パッチ位置に対する補正計算式、補正係数が記憶されており、これらと入力されたパッチの選択情報とから、ハイライト部色調整補正データが計算可能となっている。そして計算されたハイライト部色調整補正データは、データ記憶部１４内に記憶される。
【００６８】
例えば、ステップＳ１０７でパッチ７１（３Ｅ）を選択した場合、Ｒ（赤）については０．９、Ｇ（緑）については１．０、Ｂ（青）については１．１のガンマ補正係数が、データ記憶部１４より色補正設定プログラム１２に送信され、色補正設定プログラム１２において、データ記憶部１４に記憶されたシャドー部色調整補正データの、Ｒ、Ｇ、Ｂ各色のハイライト部の濃度領域に対して、上記のガンマ補正係数に基づいた補正計算が施される（ステップＳ１０８）。そしてこれが、最終的な色調整補正データとなる。この色調整補正データは、同様にデータ記憶部１４内に記憶される。
【００６９】
そして、計算された最終的な色調整補正データが、プリンタドライバ１３に送信、設定される（ステップＳ１０９）。
【００７０】
上記の色調整補正は、プリンタの使用開始前、印刷間、印刷終了後などに行なう。
【００７１】
上記のように色調整補正データがプリンタドライバ１３に設定された後、アプリケーションソフト１１を操作して、入力装置３０から読み込んだデジタルフォト画像の画像データの印刷を行なうと、プリンタドライバ１３に設定された色調整補正データが画像データに適用され、色調整補正後の画像データがサーマルプリンタ２０に送信される。そして、サーマルプリンタ２０から所望の色を示すデジタルフォトの印刷画像が出力される。
【００７２】
以上のように、本実施の形態に係るサーマル印刷システム１によると、色調整補正用チャート６０及び７０に表示された各パッチのグラデーションの色変化方向が印刷用紙の搬送方向（矢印Ａ方向）に対して斜めとなるので、印刷用紙の搬送速度ムラによる印刷用紙の搬送方向（矢印Ａ方向）の濃淡ムラ、及び、サーマルヘッド２６に含まれる複数の発熱体２６１の抵抗値のばらつきによる搬送方向と直交する方向（矢印Ｂ方向）の濃淡ムラの影響を受けにくい色調整用カラーチャートを印刷することができる。
【００７３】
また、グラデーションの色変化方向が、複数のパッチ６１及び７１の行及び列方向の両方に対して傾いた方向となるように、プリンタ２０の主制御部２３及び印刷装置制御部２５がサーマルヘッド２６及び搬送装置２７を制御するため、パッチ内の濃度変化が見やすくなる。
【００７４】
また、色補正調整用チャート６０及び７０の各パッチが正方形であり、グラデーションの色変化方向が、複数のパッチ６１及び７１の行及び列方向の両方に対して４５度傾いた方向となるように、プリンタ２０の主制御部２３及び印刷装置制御部２５がサーマルヘッド２６及び搬送装置２７を制御するため、パッチ内の濃度変化がより見やすくなる。
【００７５】
また、基準点での色の変化が複数のパッチ６１及び７１の行及び列方向の両方に関して規則性を有しつつ複数のパッチ６１及び７１が配列されるように、主制御部２３及び印刷装置制御部２５がサーマルヘッド２６及び搬送装置２７を制御するため、パッチの配列に規則性があるため、複数のパッチの中からユーザの所望の色のパッチを選びやすくなる。
【００７６】
また、基準パッチ６１（４Ｄ）及び７１（４Ｄ）を除くパッチに係る基準点での色が、基準パッチ６１（４Ｄ）及び７１（４Ｄ）に係る基準点での色をガンマ補正したものであるため、一枚の色調整補正用チャート６０又は７０を使って、より精度の高いデジタルフォトの色調整が可能となる。
【００７７】
また、各パッチ内における濃度がグラデーションの色変化方向に関して連続的に増加した色調整補正用チャート６１及び７１が印刷されるように、主制御部２３及び印刷装置制御部２５がサーマルヘッド２６及び搬送装置２７を制御するため、一枚の色調整補正用チャート６０又は７０を使って、より精度の高いデジタルフォトの色調整が可能となる。
【００７８】
また、主にシャドー部の、特にグレーの部分のみについて、ユーザが所望するグレーとなるように色調整補正を行なう場合、ハイライト部の、特に肌色部分の色が全体的に青っぽく血の気のない色になることがある。一方、ハイライト部の、特に肌色部分のみについて、ユーザが所望する肌色になるように色調整補正を行なう場合、シャドー部の、特にグレー部分の色が全体に赤っぽくなることがある。これに対して、本実施の形態に係るサーマル印刷システム１においては、シャドー部色調整補正用チャート６０及びハイライト部部色調整補正用チャート７０の２種類の色調整補正用チャートを印刷する。ここで、シャドー部色調整補正用チャート６０に印刷された複数のパッチ６１に係る複数の基準点での色がグレーの系統の色であり、ハイライト部色調整補正用チャート７０に印刷された複数のパッチ７１に係る複数の基準点での色が肌色系統の色である。シャドー部の特にグレー部分、及び、ハイライト部の特に肌色部分について連続した調整を行なうことにより、ユーザが所望する色のより正確な再現が可能となる。
【００７９】
また、図１に示されているサーマル印刷システム１のホストコンピュータ１０は、例えば汎用のパーソナルコンピュータなどの情報処理装置によって構成されている。かかる情報処理装置には、ＣＰＵ、ＲＯＭ、ＲＡＭ、ハードディスク、ＦＤやＣＤの駆動装置などのハードウェアが収納されており、ハードディスクには、各パッチ内における相対位置が互いに等しい基準点での色が互いに異なる複数のパッチがＸ方向とこれに直交するＹ方向とにマトリクス状に配列された色調整補正用チャート６０及び７０を、固定配置されたサーマルヘッド２６と、印刷用紙がサーマルヘッド２６の印刷面と対向する位置を通過するように印刷用紙を搬送する搬送装置２７とを有するサーマルプリンタ２０を含むサーマル印刷システム１に印刷させるために用いられるプログラム（このプログラムは、ＣＤ−ＲＯＭ、ＦＤ、ＭＯなどのリムーバブル型記録媒体に記録しておくことにより、任意のコンピュータにインストールすることが可能である）を含む各種のソフトウェアが記憶されている。このプログラムが、サーマル印刷システム１にインストールされることによってサーマル印刷システム１は、上述したような色補正調整用チャート６０及び７０を印刷できるようになっている。
【００８０】
以上のように、図８のフローチャートを用いて、シャドー部、ハイライト部の連続的な色調整補正について説明したが、このような色調整補正には限定されず、ハイライト部分だけの色調整補正を行なってもよい。このような色調整補正方法の例として、本実施の形態の第１変形例に係るサーマル印刷システム１の色調整補正の手順を示したフローチャートを図９に示した。
【００８１】
以下に、図９を用いて、本実施の形態の第１変形例に係る色調整補正について説明する。まず、ハイライト部色調整補正用チャートをサーマルプリンタ２０から印刷する（ステップＳ２０１）。ここで印刷されるハイライト部色調整補正用チャートの複数のパッチの各パッチに係る基準点での色は、基準パッチ７１（４Ｄ）に係る基準点での色を、図５のガンマ補正係数表に従ってガンマ補正したものであり、ガンマ補正を行なったそれぞれのパッチを表の配置に対応させて配列して構成されたものである。従って、シャドー部色調整補正が適用されたものではない。
【００８２】
そして、出力されたシャドー部色調整補正用チャートの複数のパッチの中から所望の色を示すパッチを選択し、パッチの選択情報を、アプリケーションソフト１１上で入力する（ステップＳ２０２）。その後、入力されたパッチの選択情報を基に、色補正設定プログラム１２において、ハイライト部色調整補正データが計算される（ステップＳ２０３）。そして、ハイライト部色調整補正データがプリンタドライバ１３に送信、設定される（ステップＳ２０４）。
【００８３】
プリンタの色調整補正においては、上記のようにシャドー部、ハイライト部について連続した色調整補正を行なうのが望ましいが、人間の目はシャドー部よりもハイライト部の色の差に敏感であることが知られている。従って、ハイライト部色調整補正用チャートのみを使った色調整補正によっても、ユーザが所望する印刷画像が得られる。以上より、本変形例によりサーマル印刷システム１の色調整補正を簡単に、短時間で実施できる。
【００８４】
また、上記の実施の形態においては、作成した色調整補正データを、ホストコンピュータ１０内のプリンタドライバ１３に設定していたが、このような形態には限られない。その他の例として本実施の形態の第２変形例を図１０に示す。図１０は本実施の形態の第２変形例に係るサーマル印刷システムのブロック図である。なお、本変形例においては、図１の構成部材と同様の部分（５１０〜５１４、５２０、５２１、５２３〜５２７、５２９、５３０〜５３３、５４０、６０１、６０２）については、上記実施の形態の符号（１０〜１４、２０、２１、２３〜２７、２９、３０〜３３、４０、１０１、１０２）の部分にそれぞれ順に合致させて示しており、このような同様の部分の説明が省略されることがある。
【００８５】
第２変形例に係るサーマル印刷システム２においては、図１０に示すように、サーマルプリンタ５２０内に画像データ記憶部５２２ａ、及び、補正データ記憶部５２２ｂが設けられている。そして、色調整補正データをプリンタドライバ５１３に設定するのではなく、プリンタ５２０内部の補正データ記憶部５２２ｂに記憶させる。色調整補正用チャートやデジタルフォトの画像データを印刷する際には、アプリケーションソフト５１１を操作して、プリンタドライバ５１３を介して、画像データを直接サーマルプリンタ５２０へ送信する。その後、サーマルプリンタ５２０内部の印刷データ制御部５２４にて、画像データを印刷用信号に変換する際に、補正データ記憶部５２２ｂに記憶された色調整補正データにより色調整補正が行なわれ、サーマルヘッド５２６及び搬送装置５２７の印刷動作により、色調整補正用チャートや所望の色を示すデジタルフォトの印刷画像が出力される。
【００８６】
以上、本発明の好適な各実施の形態について説明したが、本発明は上述の実施の形態に限られるものではなく、特許請求の範囲に記載した限りにおいて様々な設計変更が可能なものである。
【００８７】
例えば、上記の実施の形態において色調整補正用チャート６０及び７０のパッチの数を７行７列の４９個としているが、パッチの数はこれには限定されず、これより少なくても良いし、これより多くても良い。また上記の実施の形態において、シャドー部基準パッチの内部は、複数のパッチ６１の行方向及び列方向の両方に対して４５度傾いた方向へ単純増加した、無彩色のグレーのグラデーションとなっているが、パッチ内のグラデーションの向きは、複数のパッチ６１及び７１の搬送方向、及びそれに直交する方向に対して斜め方向であればよく、色も無彩色のグレーに限定されるものではない。ハイライト部基準パッチの例についても同様である。また、上記の実施の形態においては、色調整補正用チャートの各パッチを正方形としているが、各パッチの形状はこれに限らない。
【００８８】
また、上記の実施形態においては、印刷用紙の搬送方向と、複数のパッチ６１及び７１の行方向とは一致していたが、これには限られず、これらの方向は一致していなくてもよい。
【００８９】
また、色調整補正用チャートのガンマ補正係数表８０は一例であり、ガンマ補正係数はこの表の値には限られない。
【００９０】
また、上記の実施の形態においては、基準パッチ６１（４Ｄ）及び７１（４Ｄ）を除くパッチに係る基準点での色が、基準パッチ６１（４Ｄ）及び７１（４Ｄ）に係る基準点での色をガンマ補正したものであったが、これには限られず、例えば基準パッチ６１（４Ｄ）及び７１（４Ｄ）に係る基準点での各色に対して、パッチ位置に対応した値を加減算したものであってもよい。
【００９１】
また、上記の実施の形態において、色調整補正用チャート６０、７０から選択した所望の色のパッチの選択情報を、アプリケーションソフト１１上で入力するが（ステップＳ１０２）。ここで、パッチ選択情報の入力方法については、行番号と列記号とをユーザがキーボード１０１を操作して入力する上記のような入力方法に限られず、ディスプレイ４０にパッチに対応した枠を表示させ、ユーザがマウス１０２を操作して、ユーザが希望するパッチに相当する位置の枠を選択するという入力方法でも良い。
【００９２】
また、上記の実施の形態に係るサーマル印刷システムは、ホストコンピュータとデジタルフォト用のサーマルプリンタとが、ローカルに接続されたものであるが、この形態には限定されず、これらがＬＡＮやＷＡＮなどの通信ネットワークを介して接続されたものであってもよいし、スタンドアロンのサーマルプリンタであってもよい。
【図面の簡単な説明】
【００９３】
【図１】本発明の一実施の形態に係るサーマル印刷システムのブロック図。
【図２】図２（ａ）は、図１のサーマルプリンタ内のサーマルヘッド及び搬送装置の側面の概略図。図２（ｂ）は、図２（ａ）のサーマルヘッドの底面の概略図。
【図３】図１のサーマル印刷システムにより印刷したシャドー部色調整補正用チャートの概略図。
【図４】図３のシャドー部色調整補正用チャートに表わされる基準パッチの概略図。
【図５】本発明の一実施の形態に係る色調整補正用チャート作成用のガンマ補正係数表。
【図６】図１のサーマル印刷システムにより印刷したハイライト部色調整補正用チャートの概略図。
【図７】図６のハイライト部色調整補正用チャートに表わされる基準パッチの概略図。
【図８】図１のサーマル印刷システムの色調整補正方法の手順を示すフローチャート。
【図９】本発明の一実施の形態の第１変形例に係るサーマル印刷システムの色調整補正方法の手順を示すフローチャート。
【図１０】本発明の一実施の形態の第２変形例に係るサーマル印刷システムのブロック図。
【符号の説明】
【００９４】
１、２    サーマル印刷システム
５、５１、５２  印刷用紙
１０、５１０  ホストコンピュータ
１２、５１２  色補正設定プログラム
１４、５１４  記憶部
２０、５２０  サーマルプリンタ
５２２ｂ  補正データ記憶部
２３、５２３  主制御部
２５、５２５  印刷装置制御部
２６、５２６  サーマルヘッド
２７、５２７  搬送装置
６０、７０  色調整補正用チャート
６１、７１  複数のパッチ
８０  ガンマ補正係数表
【図１】
2007196603.tif 000003
【図２】
2007196603.tif 000004
【図３】
2007196603.tif 000005
【図４】
2007196603.tif 000006
【図５】
2007196603.tif 000007
【図６】
2007196603.tif 000008
【図７】
2007196603.tif 000009
【図８】
2007196603.tif 000010
【図９】
2007196603.tif 000011
【図１０】
2007196603.tif 000012